(57)【要約】  本発明は、前記バネの有効長を調節するためのシステムを有する天府輪／バネ組立体（１２）を有し、回転可能である機構部分（１０）と、時計の外側から使用者にとって接近可能である制御機関（１４）と、機構部分（１０）の周囲上で枠に回転可能に取り付けられる伝達環（２２）であって、前記機構部分（１０）が前記伝達環の内側に配置され、伝達環（２２）が制御機関（１４）に運動学的に接続されるかまたは接続可能で、かつさらに前記調節システムに運動学的に接続される、伝達環（２２）と、伝達環（２２）に運動学的に接続されかつ指示器機関を駆動し、バネの有効長に適用される調節値を表示することを目的とする表示部（３０）と、を備える時計に関する。前記時計は、表示部（３０）が、第１の別個のモジュール上に取り付けられ、前記枠に組み立てられる可動部で形成されることを特徴とする。【選択図】図１
2013522614.tif 000002
【特許請求の範囲】
【請求項１】
時計であって、
−  天府バネと関連するバネ付き天府（１２）を設けられ、前記天府バネの有効長を調節するためのシステムを装備され、回転可能に可動な機構部分（１０）と、
−  前記時計の外側から使用者にとって接近可能な制御機関（１４）と、
−  枠上の前記機構部分（１０）の周囲上に回転可能に取り付けられた伝達環（２２）であって、前記機構部分（１０）が前記伝達環の内側に配置され、前記伝達環（２２）が、一方では前記制御機関（１４）に運動学的に接続されるかまたは接続可能であり、かつ他方では前記調節システムに運動学的に接続される、伝達環（２２）と、
−  前記伝達環（２２）に運動学的に接続されかつ指示器機関を駆動し、前記天府バネの有効長に適用される調節の値を表示するように設計された表示列（３０）と、を備え、
前記表示列（３０）が、第１の独立モジュール上に取り付けられ、前記枠に組み立てられた転輪で作り上げられることを特徴とする、時計。
【請求項２】
前記伝達環（２２）が、第２の独立モジュール上に取り付けられ、前記枠に組み立てられた転輪で作り上げられた伝達列（３４）により、前記調節システムに運動学的に接続されることを特徴とする、請求項１に記載の時計。
【請求項３】
前記調節システムの運動が所定の値を超えたことを指示する運行指示を表示するための手段を備えることを特徴とする、請求項１および２の一項に記載の時計。
【請求項４】
前記機構部分（１０）が、底部およびガラスにより閉じられた容器内に収容され、前記機構部分（１０）が、前記ガラスを通じて可視の文字盤により上覆され、前記伝達環（２２）は標示および文字盤を有し、前記容器または前記底部は、前記運行情報を指示するための、それを通じて前記標示が可視である開口部を備えることを特徴とする、請求項３に記載の時計。
【請求項５】
前記調節システムの位置を係止することができることを特徴とする、先行する請求項の一項に記載の時計。
【請求項６】
前記伝達環を係止することにより、前記調節システムの位置を係止することができることを特徴とする、請求項５に記載の時計。
【請求項７】
複数の筐体（５４）と連携するように配置された少なくとも１つの玉爪システム（５２）により、前記伝達環（２２）の回転を妨害することができ、前記玉爪システム（５２）または前記複数の筐体（５４）が、前記伝達環（２２）内または前記枠内に配置されることを特徴とする、請求項６に記載の時計。
【請求項８】
伝達環（２２）が制動表面（６０）を備えることと、前記時計が、前記時計の外側から接近可能な、前記制動表面（６０）と連携するように配置された制動機に固定された係止部材を備え、前記係止部材が可動に取り付けられ、かつ、前記制動機が前記制動表面（６０）を支える第１の状態、および前記制動機が前記制動表面（６０）を自由にしておく第２の状態を行き来することができ、係止バネが、それを前記第１の状態に保つ傾向がある前記係止部材に力を及ぼすように配置されることを特徴とする、請求項６に記載の時計。
【請求項９】
前記制御機関（１４）が、前記容器に関連して、その中央部に回転可能に取り付けられた竜頭（１６）であることを特徴とする、先行する請求項の一項に記載の時計。
【請求項１０】
制御機関（１４）が回転溝縁（７０）であることを特徴とする、請求項１乃至８の一項に記載の時計。
【請求項１１】
前記容器が底部（４６）により閉じられ、前記制御機関（１４）が前記底部（４６）であり、前記容器に関連して回転可能に取り付けられることを特徴とする、請求項１乃至８の一項に記載の時計。
【請求項１２】
前記竜頭（１６）が、非円形形状を有する構造を設けられた頭部を備え、前記頭部は、前記容器の中央部内に形成された凹部内に収容されることを特徴とする、請求項９に記載の時計。
【請求項１３】
前記制御機関（１４）が、前記容器内に可動に取り付けられた駆動押しボタン（９０）であることを特徴とする、請求項１乃至８の一項に記載の時計。
【請求項１４】
前記制御機関（１４）および前記伝達環（２２）の間における運動学的な接続を係脱させることができることを特徴とする、請求項９乃至１３の一項に記載の時計。
【請求項１５】
前記伝達環（２２）が増加的に駆動されることを特徴とする、先行する請求項の一項に記載の時計。
【請求項１６】
前記制御機関（１４）が、非対称の接続要素に固定され、所定の螺距だけ進めるために前記伝達環（２２）内に形成された歯部（９４）と連携するように配置された駆動押しボタン（９０）であり、前記接続要素が、１８０°回転させることにより、前記伝達環（２２）を第１の方向に作動させることができる第１の位置から、前記伝達環（２２）を第２の方向に作動させることができる第２の方向へ行くことができるように、前記駆動押しボタン（９０）が回転可能であることを特徴とする、請求項１５に記載の時計。
【請求項１７】
前記制御機関（１４）が、それを第１および第２の方向に駆動するために前記伝達環（２２）と連携するようにそれぞれ配置された、２つの押しボタンを有することを特徴とする、請求項１５に記載の時計。
【請求項１８】
前記指示器機関が円盤であることを特徴とする、請求項１５乃至１７の一項に記載の時計。
【発明の詳細な説明】
【技術分野】
【０００１】
技術分野
本発明は、機械時計学の分野に関する。それは、より具体的には、
−  天府バネと関連するバネ付き天府を設けられ、前記天府バネの有効長を調節するためのシステムを装備された機構部分と、
−  時計の外側から使用者にとって接近可能な制御機関と、
−  一方では前記制御機構に、かつ他方では前記調節システムに運動学的に接続された伝達システムと、
を備える時計に関する。
【背景技術】
【０００２】
技術水準
機械的機構部分において、当該機構部分に精度を与える調整器機関は、典型的な場合では、天府バネと関連する天府である。天府バネの有効長を調節することにより、動作精度を調節することができる。この調節は、典型的には指針組立システムにより得られ、当業者により知られている。バーナー（Berner）時計機構辞書によれば、当該指針は２つの腕部を有する鋼部分であり、そのうちより短い方がバネを囲むピンを支え、他方が指針の役割を果たし、その端部がＦ−Ｓ（速−遅）という指示と共に境界から全体に動くことができる。当該指針は、頂部の天府末端部上の摩擦嵌合で調節される。携帯時計の日常の動作は指針を回すことにより修正され、それは天府バネの有効長を修正し、首部上に印付けられた境界は補正の影響のおおよその評価を可能にし、指示は長腕部により与えられる。
【０００３】
機構部分の動作精度は、様々な要因の影響の下で、具体的にはその構成部の経時または塗布される潤滑剤に関連して時間と共に変動することがあり、それは摩擦のために起こるエネルギー損失を修正することができることが知られている。当該機構部分を曝露してよい温度、任意の衝撃は、当該機構部分の調節を修正することもある。
【０００４】
通常の実施形態では、指針に接近するように携帯時計容器を開けることが必要である。従って、この種類の調節は通常時計工のために確保される。
【０００５】
当該技術水準の特定の実施形態は、時計の外側から使用者にとって接近可能な制御機関を設けられた時計を提案しており、制御機関を介して指針に影響を及ぼすことを可能にする。
【０００６】
例えば、文献ＣＨ２８０２３７（スイス特許第２８０２３７号公報）を参照することができ、それは指針に影響を及ぼすように配置された腕部に固定されたネジを用いる動作を調節することを提案している。第２の腕部により、調節を表示するように指針から全体に角扇状部を動かすことが可能になる。そのようなシステムは、特に腕部により占められる表面積に関連して非常にかさばる。ネジおよび指針の間における運動学的な接続も、比較的不正確である。
【０００７】
文献ＣＨ３０６０８（スイス特許第３０６０８号公報）は、表示指針により直接作動される調節システムを提案しており、後者は機構部分に関連して回転可能に取り付けられた環に固定される。当該環は、その内側面上に、その上で指針の長腕部の端部がバネにより圧迫される傾斜面を有する。その後指針を動かすことにより、指針を枢動させることが可能になる。指針を作動させるには文字盤上に配置された機関への接近が必要となるため、このシステムは１つの重大な欠点を有する。針を傷つけ、それらをずらし、またはホコリを容器内に導入する危険は特に大きい。
【０００８】
本発明は、それを装備する天府バネの有効長を調節するためのシステムを設けられ、時計の外側から接近可能であり、上述の欠点のない時計を提案することを狙う。
【発明の概要】
【０００９】
発明の簡単な記載
より具体的には、本発明は、
−  天府バネと関連するバネ付き天府を設けられ、前記天府バネの有効長を調節するためのシステムを装備され、回転可能に可動な機構部分と、
−  時計の外側から使用者にとって接近可能な制御機関と、
−  枠上の前記機構部分の周囲上に回転可能に取り付けられた伝達環であって、前記機構部分が前記伝達環の内側に配置され、前記伝達環が、一方では前記制御機関に運動学的に接続されるかまたは接続可能であり、かつ他方では前記調節システムに運動学的に接続される、伝達環と、
−  前記伝達環に運動学的に接続されかつ指示器機関を駆動し、前記天府バネの有効長に適用される調節の値を表示するように設計された表示列と、
を備える時計に関する。
【００１０】
本発明による時計は、以下の特徴のうち１つ以上を、ことによると組み合わせて備える。
−  表示列は、第１の独立モジュール上に取り付けられ、前記枠に組み立てられた転輪で作り上げられる。
−  伝達環は、第２の独立モジュール上に取り付けられ、前記枠に組み立てられた転輪で作り上げられた伝達列により、調節システムに運動学的に接続される。
−  それは、調節システムの運動が所定の値を超えたことを指示する運行指示を表示するための手段を備える。
−  機構部分は、底部およびガラスにより閉じられた容器内に収容され、前記機構部分は、ガラスを通じて可視の文字盤により上覆される。伝達環は標示および文字盤を有し、容器または底部は、運行情報を指示するための、それを通じて前記標示が可視である開口部を備える。
−  調節システムの位置を係止することができる。
−  伝達環を係止することにより、調節システムの位置を係止することができる。
−  複数の筐体と連携するように配置された少なくとも１つの玉爪により、伝達環の回転を妨害することができ、玉爪システムまたは複数の筐体は、伝達環内または枠内に配置される。
−  伝達環は制動表面を備え、前記時計は、時計の外側から接近可能な、制動表面と連携するように配置された制動機に固定された係止部材を備える。前記係止部材は可動に取り付けられ、かつ、制動機が制動表面を支える第１の状態、および制動機が制動表面を自由にしておく第２の状態を行き来することができ、係止バネが、それを前記第１の状態に保つ傾向がある前記係止部材に力を及ぼすように配置される。
−  制御機関は、前記容器に関連して、その中央部に回転可能に取り付けられた竜頭である。
−  制御機関は回転溝縁である。
−  制御機関は、容器を閉じ、容器に関連して回転可能に取り付けられた底部である。
−  制御機関は、その頭部が非円形形状を有する構造を設けられ、前記頭部は、容器の中央部内に形成された凹部内に収容される。
−  制御機関は、容器内に可動に取り付けられた駆動押しボタンである。
−  制御機関および伝達環の間における運動学的な接続を係脱させることができる。
−  伝達環は増加的に駆動される。
−  制御機関は、非対称の接続要素に固定され、所定の螺距だけ進めるために伝達環内に形成された歯部と連携するように配置された駆動押しボタンであり、接続要素が、１８０°回転させることにより、伝達環を第１の方向に作動させることができる第１の位置から、伝達環を第２の方向に作動させることができる第２の方向へ行くことができるように、前記駆動押しボタンは回転可能である。
−  制御機関は、それを第１および第２の方向に駆動するために伝達環と連携するようにそれぞれ配置された、２つの押しボタンも有することがある。
−  指示器機関は円盤である。
【００１１】
図面の簡単な記載
本発明の他の詳細は、以下の記載を読む際により明確に現れることになり、添付の図面を参照して与えられる。
【図面の簡単な説明】
【００１２】
【図１】本発明による時計の可能な構造を例解する。
【図２】本発明による時計の可能な構造を例解する。
【図３ａ】本発明による時計用の様々な可能な表示を例解する。
【図３ｂ】本発明による時計用の様々な可能な表示を例解する。
【図３ｃ】本発明による時計用の様々な可能な表示を例解する。
【図４ａ】本発明による時計用の様々な可能な表示を例解する。
【図４ｂ】本発明による時計用の様々な可能な表示を例解する。
【図４ｃ】本発明による時計用の様々な可能な表示を例解する。
【図５ａ】本発明による時計用の様々な可能な表示を例解する。
【図５ｂ】本発明による時計用の様々な可能な表示を例解する。
【図６】本発明の変形を示す
【図７】本発明の変形を示す
【図８】本発明の変形を示す
【図９】本発明の変形を示す
【図１０】本発明の変形を示す
【図１１】本発明の変形を示す
【発明を実施するための形態】
【００１３】
発明の詳細な記載
本発明は、図１に図式的に示されている、天府バネと関連するバネ付き天府１２を設けられた機構部分１０を備える機械時計に関する。当該技術水準のバネ付き天府１２のように、機構部分１０は、天府バネの有効長を調節するためのシステムを装備され、回転可能に可動で、指針として当業者により知られ、かつ本出願の導入部に記載されている。
【００１４】
本時計は、本時計の外側から使用者にとって接近可能で、その中に機構部分１０が収容される容器を開ける必要なく、その使用者が本時計の外側から天府バネの有効長を調節するためのシステムに影響を及ぼすことを可能にするように配置された制御機関１４も備える。
【００１５】
１つの好適な実施形態では、制御機関１４は、巻芯と同様に、容器の中央部で枢動する芯１８上で、容器に関連して回転可能に取り付けられた竜頭１６である。図６ａで提案されているように、芯１８は、その端部で竜頭１６に固定された小歯車２０を有する。
【００１６】
この小歯車２０は、枠上の機構部分１０の周囲にて回転可能に取り付けられた伝達環２２と係合して取り付けられる。１つの好適な実施形態では、伝達環２２および機構部分１０は同心である。そのため、機構部分１０を伝達環２２の内側に配置することができ、それは全体の構成の低減した厚さを許容する。図では、特に、機構部分１０が、締結腕金つまり締め金２４または任意の他の適切な要素を用いて容器に固定され、伝達環２２の運動を妨げないことが分かる。特定の例解では、伝達環２２がその中に機構部分１０を配置することができる筐体の形態を呈することが分かる。この種類の構造では、伝達環２２の機構部分を自由にしておくように、伝達環２２内に形成された開口部２６内に締め金２４を配置することができる。
【００１７】
制御機関１４に運動学的に接続されることに加えて、伝達環２２は調節システムにも運動学的に接続される。そのために、異なる選択肢が可能である。１つの好適な選択肢は、指針に固定されかつ図１に図式的に示されている歯竿２８つまり歯付き扇状部を用いて、噛み合いにより伝達環２２および指針を接続することから成る。
【００１８】
使用者が正確な調節を行うことを可能にするように、使用者が時計の動作に対する調節の指示を得ることは特に有用である。そのために、伝達環２２に運動学的に接続された表示列３０は、指示器機関を駆動するように配置され、バネの有効長に適用される調節の値を表示するように設計される。
【００１９】
本発明の１つの興味深い態様によれば、この表示列３０は、第１の独立モジュール上に取り付けられ、枠に組み立てられた転輪３０ａ、３０ｂで作り上げられる。より具体的には、表示列３０は伝達環２２と係合された第１の転輪３０ａを含み、そして一連の転輪により、明瞭かつ可読な表示を行うように、伝達環２２および指示器機関の間における歯車比を調節することが可能になる。当該指示器機関は、表示列３０の最後の転輪の軸上に取り付けられた針であり得る。後で分かるように、円盤による表示を考慮することもできる。表示列の転輪は、皿および架橋部３２の間つまり２つの棒の間に取り付けられ、独立モジュールを形成し、それをその伝達環２２および表示列３０の第１の転輪３０ａの間における噛み合いを防止するように、機構部分１０の任意の位置に、伝達環２２に対して同心に配置することができる。このように、当業者が望むところに指示器部材を有するように、彼がその構造を適合させることは比較的容易である。
【００２０】
有利なことに、第２の独立モジュール上に取り付けられ、前記枠に組み立てられた転輪３４ａ、３４ｂで作り上げられた伝達列３４により、伝達環２２を調節システムに運動学的に接続することができる。当該独立モジュールの構造は、表示列に関連して上記に記載されているものと同様であり、かつ参照番号３２も有する少なくとも１つの架橋部を用いる。伝達列３４により、指針の位置の繊細な調節を行うように伝達比を適合させることが可能になる。天府バネの有効長を調節するためのシステムとの噛み合いを通じる運動学的な接続の場合では、表示列３０の最後の転輪３０ｂが指針の歯竿２８と係合する。モジュール構造により、調整器機関の位置に適合することによって、機器を様々な機構部分に適合させることも可能になる。
【００２１】
他の選択肢は、特に表示列の最後の転輪の筐体内にある指針の腕部に沿って係合することにより、調節システムおよび伝達環２２の間における運動学的な接続のために可能である。
【００２２】
携帯時計の動作の調節は、天府バネの有効長を調節するためのシステムに影響を及ぼすことにより、理論的には繊細な調節、一日当たり数秒（おおよそ１０秒）近くの前後のためにのみ用いられるべきである。経時問題、衝撃、または他の要因のために、機構部分１０がより著しい補正を必要とするならば、その時、完全な保守のために、必要であれば、特定の問題を確認および補正するために、本時計を時計工の元に持ち込むことが必要になるだろう。そのため、有利なことに、調節システムの運動が、それを過ぎては完全な保守が必要であると見なされる所定の値を超えたことを指示する運行指示４０を表示するための手段により、天府バネの有効長の調節の表示を完了することができる。
【００２３】
この運行指示を、様々な手段により表示してよい。指示器機関自体は、調節値を指示する目盛りを過ぎては、運行が必要であることを指示することができる（図５ｂを参照されたい）。伝達環２２の位置が指針の位置を反映するために、その情報を指示するために伝達環２２を用いることも可能である。従って、標示を当該環上に貼付してよく、そうした標示は特別の窓内で使用者に見えるようになり得る。有利なことに、当該窓を、文字盤４２、容器の中央部４４、または容器の底部４６内に形成することができ、伝達環の表面のどちらかの上、すなわち、文字盤側４２上で可視であるようにその上部表面上に、中央部４４を通じて可視であるように外側表面上に、または底部側４６上で可視であるようにその下部表面上に、標示を配置することができる。
【００２４】
そのため、図３および４に示されているように、指示器機関（図３における目盛り付きスケールに対向する可動な針４８、および図４に関する固定された指針に対向する可動な目盛り付き円盤５０）は、動作の調節を表示する。図３では、指示が文字盤上で可視である。図３ｂおよび３ｃに示されている窓では、伝達環２２上に貼付された標示が可視である。調節値があらかじめ定義されている許容範囲に含まれるときに、標示は例えば第１の色である（図３ｂ）。調節値がその許容範囲を過ぎるときに、標示は別の色を提案する（図３ｃ）。同様の例解が図４に提供されているが、底部側４６上では、天府バネの有効長の調節を表示する指示器機関に関するものを含む。一例として、図５は、携帯時計容器の中央部４４で可視の表示を示す。表示の設計および位置付けの点から提供される可能性は、非常に様々である。
【００２５】
調節機関の位置が衝撃に敏感であり得ることが知られている。そのため、行われた調節を保証および維持し、調節システムの係止を提供することが有用であり得る。制御機関１４、伝達環２２、および天府バネの有効長を調節するためのシステムが運動学的に接続されるとすれば、調節の維持を確保するように、こうした要素のうち一方または他方に影響を及ぼすことが可能である。
【００２６】
伝達環２２を係止することにより、例えば複数の筐体５４と連携するように配置された少なくとも１つの玉爪５２を用いて後部の回転を妨害することにより、その維持を提供することが有利であり得る。玉爪システム５２を伝達環２２内に、かつ筐体５４を枠内に配置してよいが、その逆も可能である。玉爪２２では、対応する筐体５４内で突出および係合するように、玉がバネにより圧迫される。制御機関上での故意の行為に起因する十分な力によってのみ伝達環２２を動かすことが可能になる一方で、通常の使用の最中に起こる衝撃は全く影響を及ぼさない。
【００２７】
図６は、実質的に伝達環２２の周りに分布されている３つの玉爪５２を示す。そのような分布により、当該環の安定性を改善することが可能になる。さらに、３つの爪５２を、正確な分布に対して僅かに偏心させることができる。そのため、爪５２は同時には作動しないが、順に作動する。これにより、筐体５４を分離する螺距よりも小さい角度だけ安定した連続する位置を分離させることが可能になり、その螺距は爪の玉の大きさに依存する。そのため、爪間の角間隙を３６０／Ｎ−Ｐ／Ｎと表現することが可能であり、式中、Ｎは爪の数であり、Ｐは、螺距が一定である場合に、一つの爪と連携する２つの連続する筐体５４を分離するその螺距である。
【００２８】
歯と連携する、例えば伝達環２２の内側に位置するジャンパ（図示せず）は、１つまたは複数の玉爪５２により提供されるものと同等の係止を可能にすることができる。
【００２９】
図８ａおよび８ｂは、伝達環２２の位置を係止することを可能にする別の解決法を提案している。その場合では、伝達環２２は、例えば当該環の外周に突出するように配置された輪縁６２の形態を呈する、少なくとも１つの制動表面６０を備える。輪縁６２は切り組み部分を有することがあり、その割線の対向する表面が制動表面を画定する。さらに、本時計は、本時計の外側から接近可能で、制動表面６０と連携するように配置された制動機６６に固定された係止部材６４を備える。係止機関６４は可動に取り付けられ、かつ、制動機６６が制動表面６０を支える第１の状態、および制動機６６が制動表面６０を自由にしておく第２の状態の間において動くことができ、係止バネが、それを前記第１の状態に保つ傾向がある係止機関６４に力を及ぼすように配置される。例えば、係止機関６４は押しボタンの形態を呈し、締め金に固定され、その内側で伝達環の輪縁が係合される。当該締め金は、伝達環のそれに実質的に体操する部分を有する一方で、それぞれ図ａおよびｂに示されている、その２つの状態間においてそれが動くことを可能にする。図ａでは、締め金が制動表面６０を圧迫し、図示されていないバネの動作の下では、伝達環２２の回転を妨害することが分かる。制御機関１４を同時に作動させる一方で、天府バネの有効長を調節するように押しボタンを圧迫することが必要である。
【００３０】
他の係止手段を設けてもよい。例えば、制御機関１４が容器に関連して回転可能に取り付けられる竜頭１６である場合では、後者が備える中央部内に、ネジ付きの種類の竜頭１６を設けることができる。そのため、後者がネジで締められるときに、調節システムの位置が係止される。
【００３１】
図２では、カンヌキ６８が心棒１８に配置される。このカンヌキは、当該心棒が通過する開口部を備えるツマミの形態を呈することがある。当該ツマミの開口部の形状および心棒のそれは、竜頭の回転が可能であるために心棒１８を引かなければならないように配置される。これを、例えば、当該心棒上で、一方がツマミの開口部の内側で枢動することができ、他方がそのような枢動を許容しない、異なる部分を有する２つの隣接する部分を有することにより得ることができる。
【００３２】
図７ａおよび７ｂは、制御機関１４が回転溝縁７０である実施形態を提案している。例解されている変形では、回転溝縁７０および伝達環２２の間における運動学的な接続を、係脱させることができるように生み出すことが提案されており、そのような構造は他の制御機関１４に置き換え可能である。そのため、図７ａでは、回転溝縁７０が底部側上に配向されたその内面上に歯部７２を備えることが分かる。さらに、本時計は、ツヅミ車７６を支持する押しボタン７４を備える。後者は、当該押しボタンが作動されるときに、回転溝縁７０の歯部７２と噛み合うように配置される。ツヅミ車７６の主軸上では、第２の小歯車７８が伝達環２２と連続して噛み合う。そのため、押しボタン７４が作動されないときに、回転溝縁７０は伝達環２２から係脱され、回転溝縁７０を回転させることは、機構部分１０の動作の調節に全く影響を及ぼさない。しかしながら、押しボタン７４上での行為がツヅミ車７６を係合させ、その後、回転溝縁７０は天府バネの有効長を調節するためのシステムに運動学的に接続される。その後、調節を行うことが可能である。
【００３３】
図１０では、容器の底部４６を制御機関として用いることが提案されている。この変形では、回転溝縁７０のように、底部４６が容器に関連して回転可能に取り付けられる。上記に提案されているように、係脱可能な接続を、または本図に例解されているように、永久接続を提案することが可能である。提案されている例では、底部４６が、主軸上に取り付けられた２つの歯付き転輪８０により伝達環２２に接続された歯部４６ａを備える。
【００３４】
図１１に示されている別の変形では、制御機関１４は、その頭部が非円形形状８２を有する構造を設けられる竜頭１６である。当該構造は起こされ、かつ当該頭部の高さに関連して正でも負でもよい。当該頭部は、容器の中央部４４内に形成された中空内に収容され、かつ容器を過ぎて突出しない。そのため、調節を行うために、前記構造と連携するように構成された工具８３を用いることが必要であり、偶発的な駆動は可能でない。
【００３５】
図９ａおよび９ｂは、機構部分１０の中心に関連する、実質的に放射状の並進運動に従い、かつその軸の周りの回転運動に従う、制御機関１４が容器内に可動に取り付けられた駆動押しボタン９０である追加の変形を提案している。駆動押しボタン９０は、非対称の可撓性条片９２により示されている、非対称の接続要素に肯定され、その端部は、駆動押しボタン９０に圧力が及ぼされるときに、伝達環２２により備えられる外歯部９４と連携することができる。非対称という用語は、接続要素、この場合では可撓性条片９２の端部が、押しボタンの軸に関連して中心を外れて、外歯部９４に影響を及ぼすことを意味する。この配置は、制御機関１４および伝達環２２の間における係脱可能な接続を生み出す。可撓性条片９２はただ１つの例である。スナッピングシステムと同様に、傾斜指針を設けることも可能である。
【００３６】
そのため、駆動押しボタン９０は枢動することができるという事実のために、可撓性条片９２の端部が第１の方向に伝達環２２を作動させることができる第１の位置（図９ａ）を占めることができる。１８０°の回転により、駆動押しボタン９０は、当該条片の端部が第２の方向に伝達環２２を作動させることができる第２の位置（図９ｂ）を占めることができる。駆動押しボタン９０に及ぼされる圧力ごとに、伝達環２２は、外歯部９４の螺距に対応して１つの螺距だけ進む。後者は、１つの螺距が１秒の調節に対応するように有利に配置される。
【００３７】
有利なことに、駆動押しボタン９０の第１および第２の位置は、当業者により選択される指標手段により指標される。回転の十分な摩擦と連結された、回転支台内における駆動押しボタン９０の単純な配置により、当該押しボタンが本当に当該第１および第２の位置の一方または他方にあることを使用者が確認することが可能になる。
【００３８】
図９に提案されている駆動押しボタン９０を、伝達環２２と連携してそれを第１および第２の方向に駆動するようにそれぞれ配置された、２つの押しボタンに置き換えてよい。
【００３９】
上記で提案されている異なる実施形態の中で、いくつかは伝達環の増加的な駆動を提案している。特に、１つまたは２つの押しボタンを制御機関１４として用いることは、増加的な駆動を伴う。さらに、伝達環２２における玉爪５２またはジャンパの存在は、増加的な駆動も伴う。
【００４０】
伝達環２２の増加的な運動により、指示器機関のジャンピング駆動を行うことが可能になる。そのため、有利なことに、当該指示器機関は窓を通じて可視の円盤５０であり得る。
【００４１】
制御機関１４について提案されている異なる変形は、伝達列３４または表示列３０を支持する独立モジュールの使用に適合する。こうした異なる制御機関を、いかなる方法によっても、すなわち独立モジュールなしに、調節システムにまたは指示器機関に運動学的に接続された伝達環と実装することもでき、それにより、本記載に基づいて、特に異なる変形の制御機関、または調節システムを係止するか、もしくは制御機関および伝達環の間における運動学的な接続を係脱するための機関に属する、任意の後続の特許出願を除外しないことが可能になることにも留意されたい。
【図１】
2013522614.tif 000003
【図２】
2013522614.tif 000004
【図３ａ】
2013522614.tif 000005
【図３ｂ】
2013522614.tif 000006
【図３ｃ】
2013522614.tif 000007
【図４ａ】
2013522614.tif 000008
【図４ｂ】
2013522614.tif 000009
【図４ｃ】
2013522614.tif 000010
【図５ａ】
2013522614.tif 000011
【図５ｂ】
2013522614.tif 000012
【図６ａ−６ｂ】
2013522614.tif 000013
【図７ａ】
2013522614.tif 000014
【図７ｂ】
2013522614.tif 000015
【図８ａ】
2013522614.tif 000016
【図８ｂ】
2013522614.tif 000017
【図９ａ】
2013522614.tif 000018
【図９ｂ】
2013522614.tif 000019
【図１０】
2013522614.tif 000020
【図１１】
2013522614.tif 000021
【国際調査報告】
2013522614.tif 000022
2013522614.tif 000023
2013522614.tif 000024
2013522614.tif 000025